(57)【要約】      （修正有）【課題】商品を載置して展示する商品陳列置台に取り付けて使用する告知公告具、又は単独で店内に設置する告知公告具を提供する。【構成】商品陳列置台２上に載置する略水平のベース部１の前端部に、前方に突き出るように広告告知部５を設け、該広告告知部５には１個または複数の標記部６を設け、該各標記部６には面状の発光シート８を設けて各標記部６が点灯または点滅して発光するように構成する。前記標記部６は複数設け、各標記部６は所定の順序により点灯または点滅発光を反復するように構成する。【選択図】図１
0003107883.tif 000002
【実用新案登録請求の範囲】
【請求項１】
商品陳列置台２上に載置する略水平のベース部１の前端部に、前方に突き出るように広告告知部５を設け、該広告告知部５には１個または複数の標記部６を設け、該各標記部６には面状の発光シート８を設けて各標記部６が点灯または点滅して発光するように構成した告知広告具。
【請求項２】
商品陳列置台２上に載置する略水平のベース部１の前端部に、前方に突き出るように広告告知部５を設け、該広告告知部５には１個または複数の標記部６を有する面状の発光シート８を設け、該発光シート８の標記部６は点灯または点滅して発光するように構成した告知広告具。
【請求項３】
請求項１または請求項２において、前記標記部６は複数設け、各標記部６は所定の順序により点灯または点滅発光を反復するように構成した告知広告具。
【考案の詳細な説明】
【技術分野】
【０００１】
本考案は、商品を載置して展示する商品陳列置台に取付けて使用する告知広告具、または、単独で店内に設置する告知広告具に関するものである。
【背景技術】
【０００２】
従来、略水平のベース部の前端部に設けた略垂直に起立する前側衝立板に、前方に突き出るように広告告知部を設けた告知広告具は、公知である（特許文献１参照）。
【特許文献１】特開２０００−３１５０５０号公報
【考案の開示】
【考案が解決しようとする課題】
【０００３】
前記公知例のものは、単に、ベース部１の前側に広告告知部を設けているだけなので、購買者に対するアッピールの度合いが低いという課題がある。
一方、商品陳列置台の一部にビデオ内蔵のテレビを載置して商品広告の映像を流す方法は従来から行われているが、テレビの載置スペースが無駄になるという課題がある。
本願は、ベース部１の前側に広告告知部を設けて、商品と広告告知部の距離を短くして購買者の注意を喚起すると共に、広告告知部を特段の工夫して購買者の購買意欲を一層刺激するようにし、また、商品陳列スペース有効利用促進した告知広告具を提供するものである。
【課題を解決するための手段】
【０００４】
本考案は、商品陳列置台２上に載置する略水平のベース部１の前端部に、前方に突き出るように広告告知部５を設け、該広告告知部５には１個または複数の標記部６を設け、該各標記部６には面状の発光シート８を設けて各標記部６が点灯または点滅して発光するように構成した告知広告具としたものである。
本考案は、商品陳列置台２上に載置する略水平のベース部１の前端部に、前方に突き出るように広告告知部５を設け、該広告告知部５には１個または複数の標記部６を有する面状の発光シート８を設け、該発光シート８の標記部６は点灯または点滅して発光するように構成した告知広告具としたものである。
本考案は、前記標記部６は複数設け、各標記部６は所定の順序により点灯または点滅発光を反復するように構成した告知広告具としたものである。
【考案の効果】
【０００５】
請求項１および請求項２の考案では、商品陳列置台２上に載置するベース部１の前端部に設けた広告告知部５でありながら、発光表示する標記部６の存在を際立たせ、購買者の購買意欲を刺激できる。
請求項３の考案では、複数の標記部６を効果的に購買者に注目させることができる。
【実施例１】
【０００６】
本考案の一実施例を図面により説明すると、１は告知広告具Ｈのベース部であり、合成樹脂の押出成形により略水平矩形状に形成し、所定位置に設置した商品陳列置台２上に載置する。ベース部１の前端部には略垂直に起立する前側衝立板３を一体的に形成する。
【０００７】
前記前側衝立板３の前側には広告告知部５を設ける。広告告知部５の形状は任意であるが、ベース部１と略同じ左右幅で前方に突き出るように設ける。広告告知部５にはベース部１に載置する商品に関する標記部６を１個または複数設ける。
【０００８】
標記部６は文字・図形あるいはこれらの組合せにより形成し、実施例では、６Ａは商品名、６Ｂは商品の種類、６Ｃは効能・説明を表示している。
【０００９】
しかして、前記広告告知部５の標記部６は発光シート８に設け、発光シート８により各標記部６は発光表示するように構成する。
【００１０】
前記発光シート８は、面状発光体（エレクトロルミネッセンス）９により構成する。面状発光体９は公知のものであり、詳細は省略するが、表面に表側保護膜層１０を形成し、表側保護膜層１０の下（裏）に透明電極層１１を設け、透明電極層１１の下に発光層１２を設け、発光層１２の下に背面電極層１３を設け、背面電極層１３の下に裏側保護膜層１４を設け、各標記部６の透明電極層１１と背面電極層１３にインバータ１５を介して通電するように構成し、裏側保護膜層１４の下面（裏面）に粘着材を塗布して広告告知部５に貼着等の手段により取付ける。
１６はリード線、１７はコネクタ、１８は電源である。
【００１１】
この場合、インバータ１５により複数ある標記部６に所定の順序により通電し、あたかも、クリスマスツリーの電気装飾（電飾）のように複数の標記部６を順に点灯させ、全体として標記部６が点滅するように構成する。
また、各標記部６の内の一部は常時点灯させ、ある標記部６は点滅するようにしてもよい。
【００１２】
したがって、インバータ１５は発光順序や発光間隔の設定操作可能に構成すると、一層、汎用性が向上し、好適である。
【００１３】
また、図５は、標記部６の一例を示し、背景２０に文字２１を表示し、文字２１の部分のみ発光させるように構成すると、購買者の注意を喚起でき、一層、効果的である。
【００１４】
しかして、広告告知部５の標記部６は発光表示させることが重要であり、発光させる構成は任意であり、各標記部６に発光シート８を設けてもよいが、一枚状の発光シート８に複数の標記部６を設け、標記部６のみが発光表示するように構成してもよい。
【００１５】
（実施例の作用）
商品陳列置台２の上面にベース部１を載置し、このベース部１上に商品を陳列する。
次に、広告告知部５の各標記部６の発光シート８に通電すると、各標記部６の発光シート８が発光し、購買者の注意を喚起し、購買意欲を刺激する。
【００１６】
この場合、標記部６は広告告知部５の全体に任意の形状で配置し、標記部６の表示内容によって順番に点灯するから、広告告知部５は、一層、購買者の注意を喚起し、購買意欲を刺激する。
【００１７】
また、発光シート８は、直接カッテイングできるので、自由な形状の広告告知部５を形成できる。
【００１８】
また、発光シート８は０．５ｍｍ程度の厚さのため、広告告知部５に設けても場所をとらず、商品陳列置台２への商品陳列の邪魔にならない。
【００１９】
また、発光シート８は二次曲面化に対応可能であるので、この点でも、広告告知部５の設計の自由度が向上し、好適である。
【００２０】
また、発光シート８の発光層１２は１０色以上の発光色を有し、各標記部６を色とりどりに表現でき、種々の商品に最適な配色の広告告知部５を提供する。
【００２１】
また、発光シート８の発光層１２は、所定の間隔で発光点滅するから、購買者の注意を喚起し、購買意欲を刺激する。
【図面の簡単な説明】
【００２２】
【図１】告知広告具の斜視図。
【図２】広告告知部の正面図。
【図３】発光シートの概略構成説明図。
【図４】ブロック図。
【図５】標記部の実施例図。
【符号の説明】
【００２３】
１…ベース部、２…商品陳列置台、３…前側衝立板、５…広告告知部、６…標記部、８…発光シート、９…面状発光体、１０…表側保護膜層、１１…透明電極層、１２…発光層、１３…背面電極層、１４…裏側保護膜層、１５…インバータ、１６…リード線、１７…コネクタ、１８…電源、２０…背景、２１…文字。
【図１】
0003107883.tif 000003
【図２】
0003107883.tif 000004
【図３】
0003107883.tif 000005
【図４】
0003107883.tif 000006
【図５】
0003107883.tif 000007